(57)【要約】【課題】トリップロック端子台の一対の端子をそれぞれ単独に保護し、保護継電器の動作確認中に保護継電器試験用のリード線が誤って関係のない他方の端子の導電体部分に接触することを防止し、且つ短絡プラグの取り付け又は取り外しが容易である端子用保護カバーを提供すること。【解決手段】保護制御盤の前面パネル８６に固定され、前面パネルからの高さが端子の短絡プラグを取り付け又は取り外しを可能にする締付螺子７２ａの位置よりも低く形成された固定部材２２と、この固定部材内へ押し込まれた状態又は引き出された状態で収容される可動部材１２と、固定部材内にバネ３０とを有し、可動部材１２はバネ３０の付勢力に抗して固定部材２２内へ押し込んだときに締付螺子７２ａが操作可能となり、短絡プラグ７８の取り付け又は取り外しが終了すると可動部材１２はバネ３０の付勢力により端子の保護部７６ａ付近まで覆うように構成した。【選択図】図２
2009033816.tif 000002
【特許請求の範囲】
【請求項１】
保護継電器が内部に収納された電力保護制御盤の前面パネル上に設けられた一対の端子と、該一対の端子に挿入装着される短絡プラグと、を有するトリップロック端子台の各端子をそれぞれ保護する絶縁性の端子用保護カバーにおいて、
前記端子の前記前面パネルへの取り付け部分を内部に収容して前記前面パネルに固定され、前記前面パネルからの高さが前記端子の前記短絡プラグの取り付け又は取り外しを可能にする締付螺子の位置よりも低く形成された固定部材と、該固定部材内へ押し込まれた状態又は前記固定部材から引き出された状態で収容される可動部材と、を有し、
前記可動部材は、前記固定部材内へ押し込まれた状態では前記端子の前記締付螺子を操作可能に露出させ、前記固定部材から引き出された状態では前記締付螺子を操作不能に覆うことを特徴とする端子用保護カバー。
【請求項２】
前記可動部材及び前記固定部材は円筒形状に形成され、前記短絡プラグが前記一対の端子に跨って挿入装着されたとき、前記可動部材を前記固定部材内へ押し込んだ状態又は前記固定部材から引き出した状態で収容可能とするための切欠部が前記可動部材に設けられていることを特徴とする請求項１に記載の端子用保護カバー。
【請求項３】
前記固定部材内に、前記可動部材を該可動部材の引き出し方向へ付勢する付勢手段を設けたことを特徴とする請求項１又は２に記載の端子用保護カバー。
【請求項４】
前記固定部材又は前記可動部材、若しくは前記固定部材及び前記可動部材は、彩色が施されていることを特徴とする請求項１〜３の何れか１項に記載の端子用保護カバー。
【発明の詳細な説明】
【技術分野】
【０００１】
本発明は、端子用保護カバー、特に、トリップロック端子の露出している導電体部分を保護し、且つ短絡プラグの取り付け又は取り外しが容易である端子用保護カバーに関する。
【背景技術】
【０００２】
発変電所等の電力保護制御回路として、図３に示すような保護継電器５８と遮断器４８とを含む回路が採用されている（例えば、特許文献１参照）。供給側電路４２に供給される電力は、ノード４４から負荷側電路４６を介して負荷側機器５０に供給される。負荷側電路４６には、トリップコイル６６に流れる電流による電磁力によってその接点が開となる遮断器４８が設置されている。また、供給側電路４２のノード５４には、供給側電路４２に印加される電圧を計測するための変成器５６が取り付けられており、その電圧データが保護継電器５８に入力される。更に、負荷側電路４６に流れる電流を計測するために変流器５２が負荷側電路４６の一部分に取り付けられており、その電流データが保護継電器５８に入力される。
【０００３】
保護継電器５８は、入力された電流データ又は電圧データに異常がある場合には、保護継電器５８から配線されている第１コード６２及びトリップコイル６６に接続されている第２コード６４を介して、トリップコイル６６に電流を流すことにより遮断器４８を動作させ、負荷側電路４６の負荷側機器５０に対する接続を遮断するように構成されている。
【０００４】
第１コード６２と第２コード６４との間には、トリップロック端子台６０が保護継電器５８と共に電力保護制御盤６８に取り付けられている。図４は、電力保護制御盤上に取り付けられたトリップロック端子台６０の説明図であり、図４（ａ）は要部斜視図、同図（ｂ）は一対の端子の軸を含む平面で切断した断面図である。
【０００５】
このトリップロック端子台６０は、一対の端子６１ａ、６１ｂと、この端子６１ａ、６１ｂに跨る短絡プラグ７８を備えている。端子６１ａ、６１ｂは、同一構造のものが用いられており、図４（ｂ）の断面図に示すように、前面パネル８６の内面側に位置する保護継電器５８から配線される第１コード６２とトリップコイル６６へ延びる第２コード６４がそれぞれ接続される導電体７０ａ、７０ｂと、前面パネル８６を表裏で挟持する絶縁性の取付台７４ａ、７４ｃ及び７４ｂ、７４ｄと、導電体７０ａ、７０ｂの取付台７４ａ、７４ｂから外部へ突出する部分に形成された雄螺子（図示せず）に螺合して、導電体７０ａ、７０ｂ上を進退動する絶縁性の締付螺子７２ａ、７２ｂと、導電体７０ａ、７０ｂの露出部を保護する絶縁性の保護部７３ａ、７３ｂ、７６ａ、７６ｂを備えている。
【０００６】
なお、第１コード６２と導電体７０ａとの接続は、第１コード６２の先端に圧着端子８８ａを取り付け、この圧着端子８８ａを導電体７０ａの保護部７６ａと反対側の端部に形成された螺子９０ａに通して、この螺子９０ａに螺合するナット９１ａを締結することにより為される。同様に、第２コード６４と導電体７０ｂとの接続は、第２コード６４の先端に圧着端子８８ｂを取り付け、この圧着端子８８ｂを導電体７０ｂの保護部７６ｂと反対側の端部に設けられた螺子９０ｂに通して、この螺子９０ｂと螺合するナット９１ｂを締結することにより為される。
【０００７】
短絡プラグ７８は、同方向に開放する略Ｃ字形状の結合部８０ａ、８０ｂを両端に有する導電性材料からなるプラグ本体８２と、プラグ本体８２の中央部に設けられた絶縁性材料からなる摘み部８４とを備えている。
【０００８】
このような構成において、短絡プラグ７８は、端子６１ａ、６１ｂの締付螺子７２ａ、７２ｂを緩めて保護部７３ａ、７３ｂと締付螺子７２ａ、７２ｂとの間を離間させ、その間に短絡プラグ７８の結合部８０ａ、８０ｂを挿入した後に、再び締付螺子７２ａ、７２ｂを締め付けて、保護部７３ａ、７３ｂと締付螺子７２ａ、７２ｂとの間を接近させて、これらによって結合部８０ａ、８０ｂを挟持することによりトリップロック端子台６０に取り付けられる。
【０００９】
短絡プラグ７８の取り付けにより、短絡プラグ７８及び端子６１ａ、６１ｂを介して、第１コード６２と第２コード６４が導通されて、保護継電器５８による監視状態となる。また、短絡プラグ７８を端子６１ａ、６１ｂから取り外すことによって、第１コード６２と第２コード６４の導通が解除されて、遮断器４８が遮断しない状態となる。トリップロック端子台６０から短絡プラグ７８が脱着自在になっているのは、保護継電器５８が正常な動作を行っているか否かを確認する作業の間に、誤って遮断器４８を動作させることがないように、第１コード６２と第２コード６４を電気的に切り離す必要があるからである。
【００１０】
図５は、一対の端子６１ａ、６１ｂを保護するための従来の端子用保護カバー１００の斜視図である。端子用保護カバー１００は絶縁性の透明な材料で製作されており、図５では端子用保護カバー１００が端子６１ａ、６１ｂに被せられている状態を示す。端子６１ａ、６１ｂは前述のように電力保護制御盤６８の前面パネル８６から突出しており、端子６１ａ、６１ｂには露出している導電体部分がある。従って、感電の恐れや保護継電器の動作試験中に保護継電器試験用のリード線が接触して保護継電器が誤動作する恐れがあり、これらを防止するため端子用保護カバー１００が被せられる。なお、従来の端子用保護カバー１００は、１つで一対の端子６１ａ、６１ｂをカバーするようになっており、透明な材料で製作されているのは、短絡プラグ７８が端子６１ａ、６１ｂに取り付けられていることを確認できるようにするためである。
【００１１】
端子用保護カバー１００は、上端部１０２と胴部１０４からなり、上端部１０２の形状及び胴部１０４を前面パネル８６に平行な面で切断した断面形状は、１つの円をちょうど半分にして切り離し、その間に長方形を挿入した形状になっている。上端部１０２と相対する端部は開口されており、この開口部１０６から端子６１ａ、６１ｂに端子用保護カバー１００を被せる構成になっている。上端部１０２及び胴部１０４は、前述のように透明なプラスチック材料で製作され、端子６１ａ、６１ｂ間に短絡プラグ７８が挿入されている状態が確認できるようになっている。そして、端子用保護カバー１００は前面パネル８６に固定されず、必要な場合に直ぐ外せるようになっている。保護継電器５８の動作試験を行う場合は、端子用保護カバー１００を端子６１ａ、６１ｂから取り外し、また短絡プラグ７８を端子６１ａ、６１ｂから取り外して作業を行うこととなる。
【００１２】
【特許文献１】特開平１０−２８５７１６
【発明の開示】
【発明が解決しようとする課題】
【００１３】
上記の端子用保護カバー１００により、端子６１ａ、６１ｂが完全に覆われるので感電等を防止することは可能である。しかし、保護継電器５８の動作確認等を行う場合には、端子用保護カバー１００を取り外す必要があり、端子用保護カバー１００を取り除くと、２つの端子６１ａ、６１ｂの導電体部分が同時に剥き出しになる。従って、動作確認中に保護継電器試験用のリード線が誤って関係のない他方の端子の導電体部分に接触し、遮断器４８を誤動作させてしまう恐れがあった。また、取り除いた端子用カバー１００を紛失してしまうこともあった。
【００１４】
本発明は、上記課題に鑑みてなされたものであり、その目的は、トリップロック端子台の一対の端子をそれぞれ単独に保護し、保護継電器の動作確認中に保護継電器試験用のリード線が誤って関係のない他方の端子の導電体部分に接触することを防止し、且つ短絡プラグの取り外しが容易である端子用保護カバーを提供することにある。
【課題を解決するための手段】
【００１５】
上記目的を達成するため、請求項１に記載の端子用保護カバーは、保護継電器が内部に収納された電力保護制御盤の前面パネル上に設けられた一対の端子と、該一対の端子に挿入装着される短絡プラグと、を有するトリップロック端子台の各端子をそれぞれ保護する絶縁性の端子用保護カバーにおいて、前記端子の前記前面パネルへの取り付け部分を内部に収容して前記前面パネルに固定され、前記前面パネルからの高さが前記端子の前記短絡プラグの取り付け又は取り外しを可能にする締付螺子の位置よりも低く形成された固定部材と、該固定部材内へ押し込まれた状態又は前記固定部材から引き出された状態で収容される可動部材と、を有し、前記可動部材は、前記固定部材内へ押し込まれた状態では前記端子の前記締付螺子を操作可能に露出させ、前記固定部材から引き出された状態では前記締付螺子を操作不能に覆うことを特徴とする。
【００１６】
この構成を採用することにより、トリップロック端子台の一対の端子がそれぞれ単独で保護され、保護継電器の動作確認中に保護継電器試験用のリード線が誤って関係のない他方の端子の導電体部分に接触することを防止する。また、可動部材は固定部材内へ押し込まれるので、短絡プラグの取り付け又は取り外しが容易である。然も、端子用保護カバーを紛失する心配もない。
【００１７】
請求項２に記載のように、前記可動部材及び前記固定部材は円筒形状に形成され、前記短絡プラグが前記一対の端子に跨って挿入装着されたとき、前記可動部材を前記固定部材内へ押し込んだ状態又は前記固定部材から引き出した状態で収容可能とするための切欠部が前記可動部材に設けられていることを特徴とする。従って、短絡プラグが端子に取り付けられた場合でも、可動部材を固定部材から引き出した状態にできるので、効果的に端子の導電体部分を保護することが可能である。また、可動部材を固定部材内へ押し込んだ状態にできるので、短絡プラグを簡単に取り付け又は取り外すことが可能である。
【００１８】
請求項３に記載のように、前記固定部材内に、前記可動部材を該可動部材の引き出し方向へ付勢する付勢手段を設けたことを特徴とする。従って。可動部材は、付勢手段によって端子の先端の保護部付近まで延出し、効果的に端子の導電体部分を保護することが可能となる。
【００１９】
請求項４に記載のように、前記固定部材又は前記可動部材、若しくは前記固定部材及び前記可動部材は、彩色が施されていることを特徴とする。端子用保護カバーは端子毎に取り付けられるので、短絡プラグは端子用カバーのあるなしに拘わらず確認できるので端子用保護カバーは必ずしも透明である必要はない。従って、端子用保護カバーに彩色を施し、保護継電器試験用のリート線を端子に接触させる場合等に、端子の誤認等を防ぐことができる。
【発明の効果】
【００２０】
本発明の端子用保護カバーによると、端子用保護カバーを固定部材と可動部材とによって構成したので、トリップロック端子台の一対の端子を、それぞれ単独で保護し、保護継電器の動作確認中に保護継電器試験用のリード線が誤って関係のない他方の端子の導電体部分に接触することを防止し、然も短絡プラグの取り付け又は取り外しが容易である。
【発明を実施するための最良の形態】
【００２１】
本発明の実施の形態を、以下図面を参照しながら詳述する。なお、本発明は以下に説明する実施の形態に限定されるものではない。
【００２２】
図１は、本発明の端子用保護カバーの概略断面図（ａ）と、分解斜視図（ｂ）である。端子用保護カバー１０は、固定部材２２と可動部材１２と弾性部材であるバネ３０とから構成される。固定部材２２及び可動部材１２は、透明のプラスチック材料で製作されている。図１より解るように、本発明の端子用保護カバー１０は、一対の端子６１ａ、６１ｂを同時にカバーするのではなく、それぞれの端子毎に設けられる。なお、関係する端子は図４に示したものと同一であり、同一の符号を付して説明している。また、図１（ａ）は、上部部材１２を指５０で押さえつけている中間の状態について示している。
【００２３】
まず、固定部材２２は、円筒形状に形成された胴部２５、胴部２５の下端部に設けられた鍔部２４、胴部２５の上端部に設けられた縁部２６を有し、胴部２５は上部及び下部が開口しており、それぞれ上部開口部２８、下部開口部２９を形成している。下部開口部２９の回りに鍔部２４が形成され、この鍔部２４により固定部材２２を電力保護制御盤６８の前面パネル８６に固定することが可能となる。なお、固定部材２２の前面パネル８６への固定は接着剤等を用いることができる。また、上部開口部２８は、可動部材１２の胴部１５が上下運動するのを可能にするために設けられており、この上部開口部２８には縁部２６が設けられている。この縁部２６は、可動部材１２に設けられた鍔部１４と作用して、可動部材１２が固定部材２２から抜け出ないようにするためのものである。
【００２４】
次に、可動部材１２は、円筒形状に形成された胴部１５、胴部１５の下端部に設けられた鍔部１４、胴部１５の上端部に設けられた縁部１６を有し、胴部１５は上部及び下部が開口しており、それぞれ上部開口部１８、下部開口部１９を形成している。下部開口部１９の回りに鍔部１４が形成され、前述のように、この鍔部１４と固定部材２２の縁部２６とにより、可動部材１２が固定部材２２から抜け出ないように構成されている。また、上部開口部１８は、可動部材１２を固定部材２２内へ押し込んだときに端子６１ａの保護部７６ａがぶつからないようにするために設けられており、この上部開口部１８には縁部１６が形成され、指５０により上部部材１２が固定部材２２内へ押し込み易いようになっている。なお、下部開口部１９の回りに形成された鍔部１４によって、バネ３０を付勢力に抗して縮ませる、又はバネ３０の付勢力を受けることが可能になっている。
【００２５】
更に、可動部材１２の胴部１５には、その幅が短絡プラグ７８の本体部８２と略同一の切欠部２０が形成され、短絡プラグ７８が端子６１ａ、６１ｂに取り付けられた後に、可動部材１２を固定部材２２内へ押し込める又は固定部材２２から引き出せるように構成されている。
【００２６】
バネ３０は、リング状であり、その直径はちょうど固定部材２２の胴部２５の内径に等しい。また、バネ３０の内側に端子６１ａが収容できる構成になっている。バネ３０の付勢力が開放したときのバネ３０の高さは固定部材２２の高さと略同一であり、付勢力に抗してバネ３０を抑えたときの最小の高さは端子６１ａの取付台７４ａの前面パネル８６からの高さｈ以下である。
【００２７】
端子用保護カバーの端子への装着について以下説明する。まず、端子用保護カバー１００の組立であるが、固定部材２２の下部開口部２９から可動部材１２をその上部開口部１８を上向きにして挿入する。可動部材１２を固定部材２２の上部開口部２８から引き出し、可動部材１２の鍔部１４と固定部材２２の縁部２６を当接させ、バネ３０を固定部材２２の胴部２５内に挿入する。そして、固定部材２２を、端子６１ａの取付台７４ａを取り囲むようにして、前面パネル８６に接着固定する。同様に、他の端子６１ｂに関しても同様にして端子用保護カバー１００が取り付けられる。
【００２８】
図２は、トリップロック端子用カバーの作動説明図であって、同図（ａ）は短絡プラグを取り付けた状態、同図（ｂ）は短絡プラグを取り外した状態、同図（ｃ）は短絡プラグを取り付ける又は取り外す状態を示す。いずれも側面から見た図である。なお、バネ３０は端子６１ａに関してのみ示した。まず、図２（ａ）に示すように、端子６１ａ、６１ｂ間に短絡プラグ７８を取り付けた後、端子用保護カバー１０の可動部材１２は、バネ３０の付勢力により、端子６１ａの保護部７６ａ付近にまで可動部材１２の縁部１６が到達するように構成される。可動部材１２には短絡プラグ７８の本体部８２の幅と同程度の切欠部２０が設けられているため、前述のように上方に上昇することが可能になっている。同時にこの状態では、締付螺子７２ａを操作することはできない。このように、可動部材１２の縁部１６が保護部７６ａ付近にまで到達しているので、端子６１ａの導電体部分には保護継電器試験用のリード線が接触し難くなっており効果的に端子６１ａの導電体部分が保護されている。
【００２９】
また、端子毎に端子用保護カバーが独立して動くため、一の端子にリード線を接触させて試験等を行っているとき、間違って他の関係のない端子にリード線が接触することは皆無となり、遮断器が誤動作する心配はない。
【００３０】
図２（ｂ）は、短絡プラグ７８を端子６１ａ、６１ｂから取り外した状態を示すが、この場合においても、可動部材１２が端子の保護部７６ａ付近にまで上昇しており、端子の導電体部分を効果的に保護している。なお、この状態では、短絡プラグ７８を端子６１ａ、６１ｂに挿入装着することは不可能である。また、可動部材１２は端子６１ａを中心に左右に回動可能である。従って、可動部材１２の切欠部２０を特定の方向に設定することができ、導電体部分への接触を選択的に防ぐことが可能である。
【００３１】
図２（ｃ）は、短絡プラグ７８を端子６１ａ、６１ｂに取り付ける又は取り外す状態について示す。短絡プラグ７８を取り付ける場合、最初に可動部材１２を固定部材２２側に押し込み、片手で可動部材１２を押さえながら、もう一方の片手で締付螺子７２ａを緩める。同様に他の端子についても同じ操作を行い、締付螺子７２ｂを緩める。そして、片手で両方の可動部材１２を固定部材２２内へ押し込みながら、短絡プラグ７８の結合部８０ａ、８０ｂを端子６１ａ、６１ｂに挿入し、締付螺子７２ａ、７２ｂを締め付ける。両方の締付螺子７２ａ、７２ｂを締め付けた後、可動部材１２を押さえ付けている手を離すと図２（ａ）と同一の状態となる。なお、端子６１ａ、６１ｂから短絡プラグ７８を取り外す場合においても上記と同様の操作を行えば良い。
【００３２】
以上で説明したように、本発明の端子用保護カバーは、可動部材１２、固定部材２２、バネ３０を用いて簡単に構成されているので、トリップロック端子の露出している導電体部分７０ａ、７０ｂを効果的に保護し、且つ短絡プラグ７８の取り付け又は取り外しが容易である。
【００３３】
なお、本発明は、上述の実施の形態に限定されるものではなく、本発明の趣旨を逸脱しない範囲で種々の変更が可能である。例えば、可動部材及び固定部材の胴部を円筒形状としたがこれに拘らない。また、それらを透明部材により構成したが、短絡プラグは端子用保護カバーの外に露出され目視できるため彩色が施されていても良い。
【図面の簡単な説明】
【００３４】
【図１】本発明の端子用保護カバーの概略断面図（ａ）と分解斜視図（ｂ）である。
【図２】端子用保護カバーの動作説明図であって、同図（ａ）は短絡プラグを取り付けた状態、同図（ｂ）は短絡プラグを取り外した状態、同図（ｃ）は短絡プラグを取り付ける又は取り外す状態を示す。いずれも側面から見た図である。
【図３】従来のトリップロック端子台を用いた電力保護制御回路を示す。
【図４】図３に用いられるトリップロック端子台の斜視図（ａ）と概略断面図（ｂ）を示す。
【図５】従来の保護カバーの斜視図である。
【符号の説明】
【００３５】
１２  可動部材
２２  固定部材
３０  弾性部材（バネ）
６１ａ、６１ｂ  端子
７２ａ、７２ｂ  締付螺子
７６ａ、７６ｂ  保護部
７８  短絡プラグ
８６  前面パネル
【図１】
2009033816.tif 000003
【図２】
2009033816.tif 000004
【図３】
2009033816.tif 000005
【図４】
2009033816.tif 000006
【図５】
2009033816.tif 000007